(57)【要約】【課題】従来のデジタル撮影機器の記録再生規格とプリントリスト規格の互換性を維持しつつ、動画記録再生及び印刷機能において新機能を提供する。【解決手段】動画用ディレクトリと静止画用ディレクトリとを有するファイル管理手段と、前記静止画ディレクトリ以下の静止画ファイルをプリントリストとして作成するプリントファイル作成手段と、前記動画用ディレクトリ以下の動画ファイルから指定シーンの静止画を抽出する静止画抽出手段とを具備し、前記動画の指定シーンのプリントリスト作成時において、前記静止画抽出手段より抽出された静止画を前記静止画ディレクトリ以下に記録すると共に、当該静止画を前記プリントファイル作成手段によりプリントリストに登録する。【選択図】      図１
2006080652.tif 000002
【特許請求の範囲】
【請求項１】
動画用ディレクトリと静止画用ディレクトリとを有するファイル管理手段と、
前記静止画ディレクトリ以下の静止画ファイルをプリントリストとして作成するプリントファイル作成手段と、
前記動画用ディレクトリ以下の動画ファイルから指定シーンの静止画を抽出する静止画抽出手段とを具備し、
前記動画から指定シーンの静止画をプリント指定する際に、前記静止画抽出手段より抽出された静止画を前記静止画ディレクトリ以下に記録すると共に、当該静止画を前記プリントファイル作成手段によりプリントリストに登録することを特徴とする記録再生装置。
【請求項２】
前記ファイル管理手段は、前記動画用及び静止画用の各ディレクトリ以下のファイルを管理する管理ファイルを更に備え、
前記動画から指定シーンの静止画をプリント指定する際に、前記静止画抽出手段より抽出された静止画を前記静止画ディレクトリ以下に記録すると共に、当該静止画を前記プリントファイル作成手段によりプリントリストに登録し、さらに、当該静止画を動画インデックスとして管理ファイルに登録することを特徴とする請求項１に記載の記録再生装置。
【請求項３】
前記動画インデックスとして管理ファイルに登録すると共に、印刷指定、印刷実行履歴、静止画指定位置、スタイルまたはレイアウト、枚数の少なくとも１つ以上の付加情報を登録することを特徴とする請求項２に記載の記録再生装置。
【請求項４】
動画用ディレクトリと静止画用ディレクトリとを有するファイル管理手段と、
前記静止画ディレクトリ以下の複数の静止画ファイルをマルチインデックスのプリントリストとして作成するプリントファイル作成手段と、
前記動画用ディレクトリ以下の複数の動画ファイルから、それぞれ指定シーンの静止画を抽出する第１の静止画抽出手段とを具備し、
前記静止画抽出手段より抽出された複数の静止画を、前記静止画ディレクトリ以下に記録すると共に、当該複数の静止画を前記プリントファイル作成手段によりマルチインデックスのプリントリストに登録することを特徴とする記録再生装置。
【請求項５】
前記動画用ディレクトリ以下の動画ファイルから、複数の指定シーンの静止画を抽出する第２の静止画抽出手段を更に備えることを特徴とする請求項４に記載の記録再生装置。
【請求項６】
前記複数の指定シーンは、動画の所定間隔のシーン、ユーザの指定シーン、画像または音声の変化点のいずれか１つにより指定することを特徴とする請求項５に記載の記録再生装置。
【請求項７】
前記プリントファイルは、Digital Print Order Format規格に準じた形式であることを特徴とする請求項１乃至６のいずれか１項に記載の記録再生装置。
【請求項８】
前記プリントリストを画像のサムネイルで再生表示する表示手段を更に備え、
前記表示手段は、前記抽出された静止画を、その抽出元の動画ファイルに対応付けて表示することを特徴とする請求項１乃至７のいずれか１項に記載の記録再生装置。
【請求項９】
静止画を所定のディレクトリで管理する記録再生装置であって、
記録媒体に記録されている動画像を再生する再生手段と、
前記再生手段で再生された動画像から静止画を抽出し、前記記録媒体の前記所定のディレクトリに追加記録する記憶手段と、
前記記録媒体に記録されている静止画像及び動画像を表示装置に一覧表示させる表示制御手段とを有し、
前記表示制御手段は、前記動画像から抽出された静止画の表示位置を、抽出もとの動画像の近接位置とすることを特徴とする記録再生装置。
【請求項１０】
前記表示制御手段は、前記記録媒体に記録されている静止画像のうち、動画像から抽出された静止画像を除いた静止画を、所定の順番で並べて表示するとともに、動画像から抽出された静止画像は、前記所定の順番とは異なる表示順で表示させることを特徴とする請求項９に記載の記録再生装置。
【請求項１１】
動画用ディレクトリと静止画用ディレクトリとを有するファイル管理手段と、前記静止画ディレクトリ以下の静止画ファイルをプリントリストとして作成するプリントファイル作成手段と、前記動画用ディレクトリ以下の動画ファイルから指定シーンの静止画を抽出する静止画抽出手段とを具備する装置の記録再生方法であって、
前記動画から指定シーンの静止画をプリント指定する際に、前記静止画抽出手段より抽出された静止画を前記静止画ディレクトリ以下に記録し、
前記静止画を前記プリントファイル作成手段によりプリントリストに登録することを特徴とする方法。
【請求項１２】
動画用ディレクトリと静止画用ディレクトリとを有するファイル管理手段と、前記静止画ディレクトリ以下の複数の静止画ファイルをマルチインデックスのプリントリストとして作成するプリントファイル作成手段と、前記動画用ディレクトリ以下の複数の動画ファイルから、それぞれ指定シーンの静止画を抽出する第１の静止画抽出手段とを具備する装置の記録再生方法であって、
前記静止画抽出手段より抽出された複数の静止画を、前記静止画ディレクトリ以下に記録し、
前記複数の静止画を前記プリントファイル作成手段によりマルチインデックスのプリントリストに登録することを特徴とする方法。
【請求項１３】
記録媒体に記録されている動画像を再生する再生手段と、前記再生手段で再生された動画像から静止画を抽出し、前記記録媒体の前記所定のディレクトリに追加記録する記憶手段とを有し、静止画を所定のディレクトリで管理する装置の記録再生方法であって、
前記記録媒体に記録されている静止画像及び動画像を表示装置に一覧表示させる表示制御工程を備え、
前記表示制御工程では、前記動画像から抽出された静止画の表示位置を、抽出もとの動画像の近接位置とすることを特徴とする方法。
【請求項１４】
請求項１１乃至１３のいずれか１項に記載の記録再生方法をコンピュータにより実現するためのプログラム。
【請求項１５】
請求項１４に記載のプログラムを記憶したコンピュータ読取可能な記憶媒体。
【発明の詳細な説明】
【技術分野】
【０００１】
本発明は、記録メディアに記録された動画情報や静止画情報から、プリント情報を作成する技術に関するものである。
【背景技術】
【０００２】
従来のデジタルスチルカメラやデジタルビデオカメラ等のデジタル撮影機器により記録媒体に画像を記録する場合、図１４に示すディレクトリで記録されることが標準的になっている。
【０００３】
図１４は、従来のデジタルカメラ、デジタルビデオなど一般的に採用されているディレクトリ例である。ＲＯＯＴディレクトリの下に、静止画ディレクトリとプリントディレクトリがそれぞれ、ある規約に従って存在する。この例では、静止画ディレクトリは、Digital Camera Format（以下、ＤＣＦ）の規約に従って記録されている。“ＤＣＩＭ”というディレクトリ名以下、“１００ＪＰＥＧ”、“１０１ＪＰＥＧ”というサブディレクトリが存在し、その下に、それぞれ“ＳＴＬ＿０００１．ＪＰＧ”、“ＳＴＬ＿０００３．ＪＰＧ”・・・、“ＳＴＬ＿１００２．ＪＰＧ”、“ＳＴＬ＿１００３．ＪＰＧ”・・・、というファイル名の静止画像ファイルが記録される。この規約に従い記録されることによって、ＤＣＦ規約を理解している、記録再生装置、印刷装置、パソコン、周辺装置等の再生互換が維持される。
【０００４】
また、プリントディレクトリは、Digital Print Order Format（以下、ＤＰＯＦ）の規約により記録されている。“ＭＩＳＣ“というディレクトリ名以下に、プリントリストファイルが、“ＡＵＴＰＲＩＮＴ．ＭＲＫ”として記録される。ＤＰＯＦ規約に準じることによって、ＤＰＯＦを理解している印刷装置等では、上記プリントリストファイルの内容に従い印刷を行うことができる。プリントリストファイルとは、記録されたコンテンツのうち、印刷／表示希望のコンテンツを予めリストファイルとして記録してあるファイルである。
【０００５】
現在は、メモリ記録媒体に記録再生するデジタルカメラ、デジタルビデオなどの機器が扱えるコンテンツは、静止画、音声、音声付静止画、あるいは画素サイズ、フレームレートを制限した連続静止画などがある。しかし、近年、メモリ記憶媒体の大容量化、高速化、低価格化、さらに、機器の高性能化などにより、記録再生できるコンテンツは、制限付きの連続静止画から、テレビサイズまたはそれ以上のサイズ、低レートから、６０枚／秒のフルレートにまで扱える環境が整いつつある。つまり、高精彩な動画をメモリ記憶媒体に記録再生できるようになりつつある。また、動画、静止画が同一の記録媒体に記録されることになる。
【０００６】
さらに、印刷装置の性能向上と印刷コストの低減により、記録したコンテンツを印刷する機会が増えてきている。今後、動画コンテンツをメモリ記録媒体に記録する機器が多く普及するにつれ、動画の１シーンを印刷する機会が多くなると予想される。
【特許文献１】特開２００２−９４９０４号公報
【発明の開示】
【発明が解決しようとする課題】
【０００７】
しかしながら、現在のデジタル撮影機器は、１つのメモリ記憶媒体に動画、静止画を記録する手順（規格）が統一されておらず、機器メーカ間での互換性が確保されていない。また、記録されたコンテンツを再生する再生機、モニタなどの表示機、プリントアウトする印刷機、ダビングやネット配信するパソコンなどの周辺機器においても、メモリ記憶媒体の記録規約が理解できないため、専用の機器、アプリケーションプログラムが必要になっている。また、動画のシーン（カット）を自動印刷する手順（規格）も統一されていない。将来的に上記規格が統一される可能性はあるが、規格の普及、安定にはある程度の時間が必要である。さらに、従来規格に対応したデジタルカメラ、デジタルビデオ、周辺機器に対しての互換性も維持することも必要である。
【０００８】
本発明は、従来のデジタル撮影機器の記録再生規格とプリントリスト規格の互換性を維持しつつ、動画記録再生及び印刷機能において新機能を提供することを目的としている。
【課題を解決するための手段】
【０００９】
上記課題を解決し、目的を達成するために、本発明の記録再生装置は、動画用ディレクトリと静止画用ディレクトリとを有するファイル管理手段と、前記静止画ディレクトリ以下の静止画ファイルをプリントリストとして作成するプリントファイル作成手段と、前記動画用ディレクトリ以下の動画ファイルから指定シーンの静止画を抽出する静止画抽出手段とを具備し、前記動画から指定シーンの静止画をプリント指定する際に、前記静止画抽出手段より抽出された静止画を前記静止画ディレクトリ以下に記録すると共に、当該静止画を前記プリントファイル作成手段によりプリントリストに登録する。
【００１０】
また、本発明の記録再生方法は、動画用ディレクトリと静止画用ディレクトリとを有するファイル管理手段と、前記静止画ディレクトリ以下の静止画ファイルをプリントリストとして作成するプリントファイル作成手段と、前記動画用ディレクトリ以下の動画ファイルから指定シーンの静止画を抽出する静止画抽出手段とを具備する装置の記録再生方法であって、前記動画から指定シーンの静止画をプリント指定する際に、前記静止画抽出手段より抽出された静止画を前記静止画ディレクトリ以下に記録し、前記静止画を前記プリントファイル作成手段によりプリントリストに登録する。
【００１１】
これにより、本装置で作成した動画中のシーン（カット）をリストしたプリントリストファイルは、静止画情報のみの記録再生と自動印刷機能を扱う装置に対して良好な互換性を維持できる。
【００１２】
また、上記装置又は方法において、前記ファイル管理手段は、前記動画用及び静止画用の各ディレクトリ以下のファイルを管理する管理ファイルを更に備え、前記動画から指定シーンの静止画をプリント指定する際に、前記静止画抽出手段より抽出された静止画を前記静止画ディレクトリ以下に記録すると共に、当該静止画を前記プリントファイル作成手段によりプリントリストに登録し、さらに、当該静止画を動画インデックスとして管理ファイルに登録する。これにより、静止画情報のみの記録再生と自動印刷機能を扱う装置に対して良好な互換性を維持できると共に、動画像の代表画像をして自動登録されるという新機能を提供することができる。
【００１３】
また、上記装置又は方法において、前記動画インデックスとして管理ファイルに登録すると共に、印刷指定、印刷実行履歴、静止画指定位置、スタイルまたはレイアウト、枚数の少なくとも１つ以上の付加情報を登録する。これにより、プリント指定情報、プリント履歴などの有益な情報を保持できる。
【００１４】
また、本発明の記録再生装置は、動画用ディレクトリと静止画用ディレクトリとを有するファイル管理手段と、前記静止画ディレクトリ以下の複数の静止画ファイルをマルチインデックスのプリントリストとして作成するプリントファイル作成手段と、前記動画用ディレクトリ以下の複数の動画ファイルから、それぞれ指定シーンの静止画を抽出する第１の静止画抽出手段とを具備し、前記静止画抽出手段より抽出された複数の静止画を、前記静止画ディレクトリ以下に記録すると共に、当該複数の静止画を前記プリントファイル作成手段によりマルチインデックスのプリントリストに登録する。
【００１５】
また、本発明の記録再生方法は、動画用ディレクトリと静止画用ディレクトリとを有するファイル管理手段と、前記静止画ディレクトリ以下の複数の静止画ファイルをマルチインデックスのプリントリストとして作成するプリントファイル作成手段と、前記動画用ディレクトリ以下の複数の動画ファイルから、それぞれ指定シーンの静止画を抽出する第１の静止画抽出手段とを具備し、前記静止画抽出手段より抽出された複数の静止画を、前記静止画ディレクトリ以下に記録すると共に、当該複数の静止画を前記プリントファイル作成手段によりマルチインデックスのプリントリストに登録する。
【００１６】
これにより、静止画情報のみの記録再生と自動印刷機能を扱う装置に対して良好な互換性を維持できると共に、記録媒体中の各動画コンテンツを、マルチインデックスのプリントリストとして作成することができる。
【００１７】
また、上記装置又は方法において、前記動画用ディレクトリ以下の動画ファイルから、複数の指定シーンの静止画を抽出する第２の静止画抽出手段を更に備える。これにより、静止画情報のみの記録再生と自動印刷機能を扱う装置に対して良好な互換性を維持できると共に、記録媒体中の動画ファイル内容をマルチインデックスのプリントリストとして作成することができる。
【００１８】
また、上記装置又は方法において、前記複数の指定シーンは、動画の所定間隔のシーン、ユーザの指定シーン、画像または音声の変化点のいずれか１つにより指定する。これにより、動画ファイルの最適な代表画像のインデックスとしてプリントリストファイルを作成することできる。
【００１９】
また、上記装置又は方法において、前記プリントファイルは、Digital Print Order Format規格に準じた形式である。これにより、従来のＤＰＯＦ規格を採用した周辺機器と良好な互換が維持できる。
【００２０】
また、上記装置又は方法において、前記プリントリストを画像のサムネイルで再生表示する表示手段を更に備え、前記表示手段は、前記抽出された静止画を、その抽出元の動画ファイルに対応付けて表示する。これにより、動画ファイルから抽出した静止画とその抽出元の動画との対応が認識できる。
【００２１】
また、本発明は、静止画を所定のディレクトリで管理する記録再生装置であって、記録媒体に記録されている動画像を再生する再生手段と、前記再生手段で再生された動画像から静止画を抽出し、前記記録媒体の前記所定のディレクトリに追加記録する記憶手段と、前記記録媒体に記録されている静止画像及び動画像を表示装置に一覧表示させる表示制御手段とを有し、前記表示制御手段は、前記動画像から抽出された静止画の表示位置を、抽出もとの動画像の近接位置とする。
【００２２】
また、本発明は、記録媒体に記録されている動画像を再生する再生手段と、前記再生手段で再生された動画像から静止画を抽出し、前記記録媒体の前記所定のディレクトリに追加記録する記憶手段とを有し、静止画を所定のディレクトリで管理する装置の記録再生方法であって、前記記録媒体に記録されている静止画像及び動画像を表示装置に一覧表示させる表示制御工程を備え、前記表示制御工程では、前記動画像から抽出された静止画の表示位置を、抽出もとの動画像の近接位置とする。
【００２３】
これにより、動画像から抽出した静止画については、抽出もとの動画像の近くに表示されるので、どの動画像から抽出されたのかが非常にわかり易く表示できる。
【００２４】
上記装置又は方法において、前記表示制御手段又は工程は、前記記録媒体に記録されている静止画像のうち、動画像から抽出された静止画像を除いた静止画を、所定の順番で並べて表示するとともに、動画像から抽出された静止画像は、前記所定の順番とは異なる表示順で表示させる。これにより、動画像から抽出した静止画については、抽出もとの動画像の近くに表示して、抽出元との関係が簡単にわかるように表示でき、使い勝手が向上する。
【００２５】
なお、本発明は、上記記録再生方法を、コンピュータに実行させるためのプログラムや、当該プログラムを格納する記録媒体等としても適用可能である。
【発明の効果】
【００２６】
以上説明したように、請求項１及び１１に記載の発明によれば、従来の静止画情報のみの記録再生と自動印刷機能を扱う装置に対して良好な互換性を維持しつつ、動画コンテンツも扱うことができる効果がある。
【００２７】
また、請求項２に記載の発明によれば、従来なかった利便性の高い新機能を提供できる効果がある。
【００２８】
また、請求項３に記載の発明によれば、プリント指定情報、プリント履歴などの有益な情報を保持し、表示できる効果がある。
【００２９】
また、請求項４及び１２に記載の発明によれば、従来のデジタルカメラ、周辺機器と互換が保持でき、かつ、動画コンテンツのマルチインデックス形態のプリントファイルが作成できるという、非常に有益な機能を提供できる効果がある。
【００３０】
また、請求項５に記載の発明によれば、従来機器と互換が保持でき、かつ、動画ファイル毎の代表画像が、マルチインデックス形態のプリントファイルとして作成できるという、非常に有益な機能を提供できる効果がある。
【００３１】
また、請求項６に記載の発明によれば、動画ファイルのより代表的なインデックス画像を選択できる効果がある。
【００３２】
また、請求項７に記載の発明によれば、従来のＤＰＯＦ規格を採用した周辺機器と良好な互換が維持できる効果がある。
【００３３】
また、請求項８に記載の発明によれば、動画ファイルから抽出した静止画とその抽出元の動画との対応が認識できる効果がある。
【００３４】
また、請求項９及び１３に記載の発明によれば、動画像から抽出した静止画については、抽出もとの動画像の近くに表示されるので、抽出元の動画像が非常にわかり易く表示できる。
【００３５】
また、請求項１０に記載の発明によれば、抽出元との関係が簡単にわかるように表示でき、使い勝手が向上する。
【００３６】
なお、本発明の記録再生方法を、コンピュータに実行させるためのプログラムや、当該プログラムを格納する記録媒体等としても適用しても、上記と同様の効果が得られる。
【発明を実施するための最良の形態】
【００３７】
以下に、本発明に係る実施の形態について添付図面を参照して詳細に説明する。
【００３８】
尚、以下に説明する実施の形態は、本発明の実現手段としての一例であり、以下に例示される態様は、本発明が適用される装置の構成や各種条件により適宜修正又は変更されるべきものであり、本発明は以下の実施の形態に限定されるものではない。
【００３９】
また、本発明は、後述する実施形態の機能を実現するソフトウェアのプログラムコードを記憶した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
［第１の実施形態］
図１は、本発明をデジタルカメラなどの撮像装置に適用した実施形態の機能ブロック図である。
【００４０】
図１に示す撮像装置２００において、２０１は映像を取り込むレンズ、２０２は映像を電気信号に光電変換するＣＣＤ等の固体センサ、２０３はデジタルデータに変換するＡ／Ｄコンバータ、２０４はレンズ２０１を駆動するモータ、２０９は音声を取り込むマイク、２１０は音声を増幅するマイクアンプ、２１１は音声をデジタルデータに変換するＡ／Ｄコンバータ、２１２は撮像装置２００を操作する操作キー、２１３は映像を表示形式にする表示ドライバ、２１４は映像を表示するためのＬＣＤやＥＶＦ等の表示器、２１５は音声を出力するためのスピーカドライバ、２１６はスピーカ、２１７は諸情報を入出力する入出力端子、２２３は記録再生制御回路、２２４は各種のセンサ、１０１は記憶媒体、２２５は記録媒体１０１を収納するソケット、２３０はシステムを制御するＣＰＵ、２２２は上記ＣＰＵ２３０とシステムのためのメモリ、２２１は撮像装置のための電源装置である。
【００４１】
先ず、図１を用いて、撮像装置の基本記録動作について説明する。
【００４２】
レンズ２０１を通って入射した被写体からの光は、固体センサ２０２で電気信号に変換される。そして、Ａ／Ｄ変換２０３によってサンプリングされてデジタルデータに変換される。このデジタルデータは、デジタル映像信号としてＣＰＵ２３０に入力される。レンズ２０１は、オートフォーカス機能とズーム機能により、ＣＰＵ２３０の制御命令でモータ２０４を駆動し移動させる。また、固体センサからデータを引き出すためのタイミング信号は、ＣＰＵ２３０により生成される。音声は、マイク２０９より得られた音声信号を、マイクアンプ２１０で増幅され、Ａ／Ｄ変換器２１１によりサンプリングされてデジタルデータに変換され、ＣＰＵ２３０に入力される。デジタル映像信号はＣＰＵ２３０で、色分離、白バランス、ガンマ補正、アパーチャ補正などの基本処理と、撮像装置２００の操作キー２１２で設定された、画像サイズ、画質調整、位置調整などの付加処理を行う。さらに、設定された圧縮方法と圧縮パラメータによってＭＰＥＧ、ＭＪＰＥＧ、ＪＰＥＧ、ＪＰＥＧ２０００等の画像圧縮処理を行い、画像圧縮データを得る。音声データは、撮像装置２００の操作キー２１２で設定された、音質調整などの付加処理を行い、設定された圧縮方法と圧縮パラメータによって音声圧縮データを得る。画像圧縮データと音声圧縮データは、制御データと共に記録データとして記録再生制御回路２２３へと送られる。
上記制御データとは、撮像装置自体の情報、画像、音声などの記録設定情報、撮影履歴や撮影環境情報などの撮影付加情報、使用記録媒体などの媒体情報などを意味する。
【００４３】
記録再生制御回路２２３は、記録時には上記記録データを、ＵＤＦ、ＦＡＴ、ＥＸＴ２等のファイルシステム管理のもとに、ファイルとして記録媒体１０１に書き込む。ファイルシステムとは、ファイルの管理を行うための管理情報とファイルデータからなる構造体系を意味する。このファイルシステムを共通化することによって、異なった記憶媒体あるいは記録再生機器でも記録再生できるわけである。上記記録データは、必要に応じて外部入出力端子２１７に送られる。さらに、確認用として、表示ドライバ２１３を通して、表示器２１４に表示される。撮像装置２００の電源は、電源２２１より供給され各回路ブロックに供給される。
【００４４】
記録媒体１０１としては、ＭＭＣ、ＳＳＦＤＣ、コンパクトフラッシュ（登録商標）、ＳＤ、ＰＣカードなどのメモリカード、あるいはハードディスク、ＣＤ−ＲＷ、ＦＤ、ＭＤ、ＤＶＤ−ＲＡＭなどの磁気（あるいは光磁気）記録メディアなどが考えられる。これらの記録媒体は、ソケット２２５に接続されており、ユーザによって脱着が可能となっている。ソケットの形状を複数種類の記録媒体に対応することで、複数の種類の記録媒体を使用することが可能である。
【００４５】
撮像装置２００の操作キー２１２内の撮影開始、終了スイッチで、記録開始から記録終了とした動作は、静止画記録の場合は、静止画像をＪＰＥＧ圧縮し、ＤＣＦ規約に準じてファイルが作成され、記録媒体１０１に保存される。動画記録の場合は、動画、音声をＭＰＥＧ圧縮処理し、動画記録規約（現状では標準規格が制定されていない）に準じてファイルが作成され、１つのシーンとして順次記録される。
【００４６】
次に、図１を用いて、基本（単一ファイル）の再生動作について説明する。
【００４７】
記録媒体１０１又は１０２に記録されているファイル群の中で、ユーザが選択したファイルを再生する場合、ソケット２２５に挿入されている記録媒体１０１から、記録再生制御回路２２３の制御のもとに、指定ファイルが読み込まれる。指定方法としては、記録媒体１０１にある画像ファイルを一覧表示し、ユーザが操作キー２１２を用いて、所望のファイルを選択指定する。読み込まれたデータは、ＣＰＵ２３０に送られ、読み込まれたデータの解析、分離が行われ、画像データ部、音声データ部、情報データ部等に分解される。画像データ部は、圧縮データならば伸張処理を行い、表示ドライバ２１３を通して、表示器２１４で表示される。音声データ部は、圧縮データならば伸張処理を行い、スピーカドライバ２１５を通してスピーカ２１６に送られる。情報データ内容によっては、画像データ、音声データのエフェクト、レタッチなどの加工処理を行う。また、必要に応じて、表示器２１４に表示する。また、上記画像、音声、情報データは、外部入力端子２１７にも送られる。
【００４８】
次に、プリントファイルの作成手順について説明する。
【００４９】
撮像装置２００が、プリントファイル設定モードになった場合、記録媒体１０１に記録されているファイル群を、記録再生制御回路２２３の制御を通して読み込み、ＣＰＵ２３０の制御のもとに、表示ドライバ２１３を通して、表示器２１４で表示する。表示形態は、ファイル名リストの表示、または、記録画像の縮小画像をインデックス表示する方式がある。ユーザが、操作キー２１２にて、所望のファイルを指定する。さらに、プリント枚数、プリントのスタイル、画像の加工方法、プリント付加情報（テキスト情報、記録情報等）を入力することも可能である。この操作を複数回行い、指定終了でプリントファイル作成実行とした場合、プリントファイル規約に準じ（例えば、ＤＰＯＦ規約）、ＣＰＵ２３０の制御のもとにプリントファイルを作成し、記録再生制御回路２２３の制御を通して、記録媒体１０１にプリントファイルとして記録される。
【００５０】
図２は、本実施形態で記録媒体１０１に記録されるファイルのディレクトリ例とファイル作成手順である。ＲＯＯＴディレクトリの下に、静止画ディレクトリ“ＤＣＩＭ”、動画ディレクトリ“動画ＤＩＲ”、プリントディレクトリ“ＭＩＳＣ”と管理ディレクトリ“管理ＤＩＲ”がそれぞれ、ある規約に従って存在する。この例では、静止画ディレクトリは、ＤＣＦの規約により記録されている。“ＤＣＩＭ”というディレクトリ名以下、“１００ＪＰＥＧ”、“１０１ＪＰＥＧ”というサブディレクトリが存在し、その下に、それぞれ“ＳＴＬ＿０００１．ＪＰＧ”、“ＳＴＬ＿０００３．ＪＰＧ”・・・、“ＳＴＬ＿１００２．ＪＰＧ”、“ＳＴＬ＿１００３．ＪＰＧ”・・・、というファイル名の静止画像ファイルが記録される。動画ディレクトリは、“動画ＤＩＲ”というディレクトリ名以下、“１００ＭＯＶ”、“１０１ＭＯＶ”というサブディレクトリが存在し、その下に、それぞれ“ＭＯＶ００Ａ．ＭＰＧ”、“ＳＴＬ＿１００Ｂ．ＭＰＧ”・・・、“ＭＯＶ１０５．ＭＰＧ”、“ＭＯＶ１０３．ＭＰＧ”・・・、という動画像ファイルが記録される。現在、動画ファイルに関する標準規約が普及していないため本実施形態では一例を説明している。プリントディレクトリは、ＤＰＯＦの規約により記録されている。“ＭＩＳＣ”というディレクトリ名以下に、プリントリストファイルが、“ＡＵＴＰＲＩＮＴ．ＭＲＫ”として記録される。現在、デジタルカメラ、電子ラボに普及しているＤＰＯＦ規約は、“ＤＣＩＭ”ディレクトリ以下の静止画像ファイルを、プリントリストファイルに登録することが一般的である。さらに、管理ディレクトリ“管理ＤＩＲ”は、記録媒体１０１自身を管理するデータファイルの“メディア管理データファイル”と、記録されているコンテンツファイルを管理する“コンテンツ管理ファイル”を記録する。“メディア管理データファイル”の内容は、メディアの認識番号、製造名メーカ、生産地、メディア形式、メディア容量、並びにメディア特性などのメディア物理固有情報、フォーマット形式やユーザー使用容量などのメディア論理情報、生産時間、出荷時間、メディアフォーマット時間、メディア書き換え時間、並びにメディアアクセス時間などの各種時間情報、所有者、著作権、及びタイトルなどの情報が記録されている。
【００５１】
次に、上記のようなディレクトリで構成される装置における、本実施形態の手順について説明する。“ＭＯＶ１０４．ＭＰＧ”の動画ファイルが再生中、あるいは、動画ファイルと再生位置が指定され、プリントファイル作成指示があった場合、（１）にて、動画像から再生中、あるいは指定位置の静止画像を切り出し、静止画ファイル作成する。このとき、各静止画ファイルの属性情報には、抽出もとの動画ファイルを特定する情報を記録しておく。同時に（２）にて、上記静止画ファイルのプリントファイル登録、作成する。また（３）にて、上記操作によって得られた、画像情報と付加情報を管理ファイルへ登録する。この動作によって、“ＤＣＩＭ”と“ＤＰＯＦ”ディレクトリが従来のデジタルカメラ、周辺機器と互換が保持できる。また、画像情報と付加情報を管理ファイルへ登録しているため、記録媒体に記録されているコンテンツをインデックス表示する場合、ＤＰＯＦに登録された静止画コンテンツを、動画ファイルのプリントのインデックスとして（以下、プリントインデックス画像、またはプリントインデックスとする。）即座に表示することができる。また、動画ファイルの代表画像候補としては、ユーザの任意指定、音声、画像の大きな切り替わり点、装置センサの検出点などが考えられるが、ユーザが意図してプリント設定したコンテンツを、自動的に代表画像に追加する機能は、非常に有効な手段かつ機能となる。
【００５２】
図３は、本実施形態の動作と表示例を説明する図である。
【００５３】
図３（ａ）において、３００は表示画面であり、動画Ａを再生している時、ユーザが動画再生時Ｔ１とＴ２時点で、印刷指定を行う様子を示している。この動作を行った結果、次回以降のインデックス表示を、図３（ｂ）を用いて説明する。３０１は表示画面、３０２は記録されている複数のコンテンツを選択表示するためのスライドバー、３０３は各コンテンツの複数のプリントインデックスを選択表示するためのスライドバー、３０４は、各コンテンツのグループ表示である。本実施形態では、３０２のスライドバーにて、３つのコンテンツを表示し、３０４のコンテンツは動画コンテンツであり、まず、代表画像として、動画先頭画像を表示し、”プリント１”は上記Ｔ１操作時点のプリントインデックス、”プリント２”は上記Ｔ２操作時点のプリントインデックス、”…”は、その他複数枚のプリントインデックスが存在していることを示す。３０３のスライドバーにより２つのプリントインデックスとその情報を選択表示する。３０４内表示する情報は、プリントインデックス以外にも、別途生成された、動画の代表インデックス、コンテンツのタイトル、著作権情報などのコンテンツ付加情報を表示してもよい。
【００５４】
このように、記録媒体に記録されている静止画像や動画像を複数並べて表示（インデックス表示）する際に、静止画が動画像から抽出されたものである場合には、抽出もとの動画像を示す縮小画像のすぐ隣から表示すると、インデックス表示中の時間関係がわかりやすくて便利である。
【００５５】
本実施形態で動画像から抽出した静止画像は、抽出した段階でファイル名やファイル番号が与えられて追加記録されることとしている。そのため、動画像よりも後に撮影された静止画像よりも後のファイル名やファイル番号が与えられることになる。
【００５６】
通常のように、ファイル名やファイルに与えられた番号順にインデックス表示を行うと、本実施形態のように動画像から抽出された静止画像は、動画像よりも後に撮影された静止画像よりも後に並べられることになってしまう。これは時間関係が分かりにくいので、使い勝手が悪い。
【００５７】
そこで本実施形態においては、管理ディレクトリ中の情報や、各静止画の属性情報に含まれる抽出もとの動画像の情報を活用して、インデックス表示において、動画像から抽出した静止画については、抽出もとの動画像の近くに並べて表示し、どの動画像から抽出されたのかが分かるように表示している。
【００５８】
言い換えれば、記録媒体に記録されている静止画像のうち、動画像から抽出された静止画像を除いた静止画を、所定の順番で並べて表示するとともに、動画像から抽出された静止画像は、所定の順番とは異なる表示順で表示させる。この表示順とはファイル名順や、ファイル番号順、または記録時間順のいずれでも良い。
【００５９】
このときの表示形態としては、各画像を示す縮小画像（サムネイル画像）を表示形態として、動画像とその動画像を元とする静止画を同一の枠でくくったり、同一の行に表示させたり、同一の記号を付したりしてもよい。
【００６０】
また、抽出した静止画を示す縮小画像を、抽出元の動画像を示す縮小画像の横隣に限らず、上下の近接した位置であっても良い。
【００６１】
なお、実施形態の図３（ｂ）のように、通常は静止画動画を含め各縮小画像を一列に並べてスクロール操作可能に表示するが、動画像から抽出した静止画像を、その列と直交する方向に並べるのは、抽出元を示すのに非常に分かりやすい表示形態である。
【００６２】
なお、上記の実施形態では、プリントしたい画像を静止画として抽出する場合で説明したが、プリントのために限るものではなく、動画像から再生したい静止画像を抽出する場合でも適用可能である。
【００６３】
“コンテンツ管理ファイル”の管理データ例を図４〜図６に示す。
【００６４】
図４において、本発明の特徴となる、データの名称、内容、それのバイト数を記述している。まず、“ＮｕｍＦｉｌｅ”は、記録されているコンテンツファイルの総数で４バイトである。“Ｏｆｆｓｅｔ”は、次のデータ“ＦｉｌｅＩｎｆｏ［ＮｕｍＦｉｌｅ］”へのオフセット値で４バイトである。“ＦｉｌｅＩｎｆｏ［ＮｕｍＦｉｌｅ］”は、コンテンツファイルそれぞれのファイル情報で（３２ｘファイル総数）バイトである。ファイル情報は可変長のため、以降のデータを取得しやすいように、上記オフセットが存在する。ファイル情報以降は、ナビゲーション情報、プレイリスト情報など“その他の管理データ”が続く。図４中、“ＦｉｌｅＩｎｆｏ”の詳細を図５に示す。まず、“ＦｉｌｅＩＤ”は、コンテンツファイルのＩＤであり２バイト。“ＮｕｍＰｒｉｎｔＩｎｄｅｘ”は、このＦｉｌｅＩＤが持つプリントインデックスの総数で１バイトである。本実施形態では、５枚までプリントインデックスを持つことができる。“ＰｒｉｎｔＩｎｄｅｘＩｎｆｏ０”−“ＰｒｉｎｔＩｎｄｅｘＩｎｆｏ４”は、各プリントインデックスに関しての付加情報であり、それぞれ５バイト。インデックス情報４以降は、プロテクトフラグ、隠しファイルフラグ、作成、更新などの時間管理情報など“その他のファイル情報”が続く。図５中、“ＰｒｉｎｔＩｎｄｅｘＩｎｆｏＮ”の詳細を図６に示す。まず、“ＩｓＰｒｉｎｔＩｎｄｅｘ”はプリントインデックスが存在しているかのフラグで１ビットである。“ＯｆｆｓｅｔＴｉｍｅ”は、動画コンテンツの切り出したシーンの動画先頭からの位置であり５ビット。“ＩｓＤＰＯＦ”は、ＤＰＯＦ規格の準拠しているかを示すフラグで１ビットである。“ＩｓＰｒｉｎｔｅｄ”は、実際に印刷履歴がある画像かを示すフラグで１ビットである。“ＮｕｍＰｒｉｎｔ”は、プリントリストに登録された印刷枚数で４ビットである。“ＮｕｍＰｒｉｎｔ”は、プリントリストに登録された印刷枚数で４ビットである。“ＰｒｉｎｔＳｔｙｌｅ”は、プリントリストに登録されたプリントスタイル（形式、印刷方法）で４ビットである。“ＰｒｉｎｔＰｏｓ”は、プリントリストに登録された印刷位置で８ビットである。プリント位置以降は、プリント出力者、プリント所有者、著作権所有者、作成、更新などの時間管理情報など“その他のプリント情報”が続く。本実施形態では、プリントインデックスを、各ファイルＩＤのオフセットで表しているが、インデックスファイルの実体を記録してもよい。
【００６５】
図７（ａ）は本実施形態のタスクを説明するフローチャートであり、Ｓ１０１にて、ユーザによって選択指定された動画コンテンツを再生開始する。Ｓ１０２にて印刷指定があるか評価する。指定がなければここでポーリングする。指定があれはＳ１０３にて、再生動作を一時停止状態にする。Ｓ１０４にて、印刷指定メニューなどで入力指定をユーザに促し、印刷指定範囲、印刷枚数、印刷書式などをユーザが入力する。Ｓ１０５にてユーザが決定するか評価する。キャンセルではＳ１０２に戻る。決定ではＳ１０６に移行し再生動作に移行する。再生動作を継続しながら、Ｓ１０７にて、Ｓ１０４で指定された情報をもとに、画像の切り出しを行い、必要に応じて画像フォーマットの変換を行う。さらに、Ｓ１０８にて、ＤＣＦ規約に準じてファイルを作成する。同時にＳ１０９にて、ＤＰＯＦ規約に準じてプリントファイルを作成し、プリントファイルを更新する。上記Ｓ１０４からＳ１０９での情報を、Ｓ１１０にて、管理ファイルに登録し、管理ファイルを更新して、Ｓ１０２に戻りタスクを維持する。
【００６６】
図７（ｂ）は、インデックス表示のタスクを説明するフローチャートであり、Ｓ２０１にて、インデックス表示を開始する。Ｓ２０２にて、記憶媒体に記録された、あるいは、本体にキャッシュされている管理ファイルを読み込み、解析する。Ｓ２０３にて、管理ファイルに各ファイルにプリントインデックス関連の情報があるか評価する。上記情報が無ければ、Ｓ２０５にて、一般的なインデックス表示を行う。プリントインデックス関連の情報が存在すれば、Ｓ２０４にて、上記関連情報を解析して、プリントインデックス画像抽出を表示のための画像変換、プリントインデックス情報抽出を行い、Ｓ２０５にて、一般的なインデックス表示に加えインデックスプリント関連の画像、情報を付加して、Ｓ２０５にてインデックス表示を行い終了する。
【００６７】
以上の動作を行うことによって、動画ディレクトリ、動画コンテンツを含んだ記録媒体においても、従来の“ＤＣＩＭ”と“ＤＰＯＦ”ディレクトリは、従来のディレクトリと互換が維持されているため、現行のデジタルカメラ、印刷装置などの周辺機器において、良好な互換を維持できる効果がある。さらに、動画ファイルの代表画像候補として、ユーザが意図してプリント設定したコンテンツを、自動的に代表画像に追加する機能は、非常に有効な手段かつ機能を提供できる効果がある。
［第２の実施形態］
第２の実施形態は、記録媒体中の各動画コンテンツを、マルチインデックスのプリントリストとして作成する機能と、記録媒体中の動画ファイル内容を、マルチインデックスのプリントリストとして作成する機能を具備した例である。
【００６８】
第２の実施形態も、図１のブロックで構成され、記録再生基本動作は、上記第１の実施形態と同様の動作を行う。
【００６９】
図８及び図９は、本実施形態で記録媒体１０１に記録されるファイルのディレクトリ例とファイル作成手順である。ＲＯＯＴディレクトリの下に、静止画ディレクトリ“ＤＣＩＭ”、動画ディレクトリ“動画ＤＩＲ”、プリントディレクトリ“ＭＩＳＣ”と管理ディレクトリ“管理ＤＩＲ”がそれぞれ、ある規約に従って存在する。各ディレクトリは第１の実施形態で説明したものと同等である。
【００７０】
まず、記録媒体中の各動画コンテンツを、マルチインデックスのプリントリストとして作成する手順は、図８において、動画ディレクトリ以下に存在する動画ファイル“１００Ｖ／ＭＯＶ００Ａ．ＭＰＧ”・・・“１０１ＭＯＶ／ＭＯＶ１０４．ＭＰＧ”と複数の動画ファイルが存在している場合、ユーザのマルチプリントインデックス指示、あるいは、機器の停止、スタンバイ状態などの特定のモードで動作を開始する。（１）にて、それぞれの動画像から、指定画像の静止画像の切り出し、静止画ファイル作成する。所定画像は、動画像の先頭画像、所定時間後の画像、最終画像、または、音声、画像、記録情報などの変化点画像などの方法で選択することが可能である。同時に（２）にて、上記複数の静止画ファイルをマルチインデックスの形態にフォーマットしてプリントファイル登録、作成する。また（３）にて、上記操作によってい得られた、画像情報と付加情報を管理ファイルへ登録する。この動作によって、“ＤＣＩＭ”と“ＤＰＯＦ”ディレクトリが従来のデジタルカメラ、周辺機器と互換が保持でき、かつ、動画コンテンツのマルチインデックス形態のプリントファイルが作成できるという有益な機能を提供できる。
【００７１】
図１０は各動画ファイルの静止画切り出しを説明する図であり、図１２（ａ）はマルチインデックス形態のプリントファイルを印刷装置で印刷したイメージ図である。
【００７２】
図１０において、５０１−５０８の動画ファイルが存在している場合、この例では、動画先頭の動画１０−動画８０をそれぞれ静止画として切り出し、上記の静止画ファイルをマルチインデックスの形態にフォーマットしてプリントファイルとして作成する。このプリントファイルを、印刷装置で印刷したイメージは図１２（ａ）のようになる。“メディアタイトル”は記録媒体のタイトルであり、この付随する情報を“情報００”としている。上記切り出した静止画を“動画１０”−“動画８０”、これら画像に付随する情報“情報１０”−“情報８０”を合わせて印刷実行するようなプリントリストを作成する。“情報１０”−“情報８０”は、動画ファイル名、動画ファイル中の再生時間位置、記録時刻、シーンのタイトル、画像、音声付加情報などである。
【００７３】
次に、記録媒体中の動画コンテンツの内容を、マルチインデックスのプリントリストとして作成する手順は、図９において、動画ディレクトリ以下に存在する動画ファイル“１００Ｖ／ＭＯＶ１０Ａ．ＭＰＧ”について、ユーザのマルチプリントインデックス指示、あるいは、機器の停止、スタンバイ状態などの特定のモードで動作を開始する。（１）にて、指定動画像から、所定の指定方法で、指定画像の静止画像を順次切り出し、静止画ファイル作成する。所定の指定方法は、ユーザ設定あるいはデフォルトの所定間隔、ユーザの随時設定した指定間隔、画像または音声の変化点から自動検出した指定画像のいずれか一つを選択することが可能である。同時に（２）にて、上記複数の静止画ファイルをマルチインデックスの形態にフォーマットしてプリントファイル登録、作成する。また（３）にて、上記操作によってい得られた、画像情報と付加情報を管理ファイルへ登録する。この動作によって、“ＤＣＩＭ”と“ＤＰＯＦ”ディレクトリが従来のデジタルカメラ、周辺機器と互換が保持でき、かつ、記録メディア内の動画ファイルが、マルチインデックス形態のプリントファイルとして作成できるという有益な機能を提供できる。
【００７４】
図１１は動画ファイルの静止画切り出しを説明する図であり、図１２（ｂ）はマルチインデックス形態のプリントファイルを印刷装置で印刷したイメージ図である。
【００７５】
図１１において、４００は動画ファイルのストリームで、１マスが１フレームを意味している。この例では、動画１−動画６の６フレームを静止画として切り出し、上記の静止画ファイルをマルチインデックスの形態にフォーマットしてプリントファイルとして作成する。このプリントファイルを、印刷装置で印刷したイメージは図１２（ｂ）のようになる。“動画タイトル”は動画ファイルのタイトルであり、この付随する情報を“情報０”としている。上記切り出した静止画を“動画１”−“動画６”、これら画像に付随する情報“情報１”−“情報６”を合わせて印刷実行するようなプリントリストを作成する。“情報１”−“情報６”は、動画ファイル中の再生時間位置、記録時刻、シーンのタイトル、画像、音声付加情報などである。この動作によって、“ＤＣＩＭ”と“ＤＰＯＦ”ディレクトリが従来のデジタルカメラ、周辺機器と互換が保持でき、かつ、動画ファイル毎の代表画像が、マルチインデックス形態のプリントファイルとして作成できるという有益な機能を提供できる。
【００７６】
図１３は本実施形態のタスクを説明するフローチャートであり、Ｓ３０１にて、インデックスプリント作成が開始する。Ｓ３０２にて、記録メディア内か動画ファイル内かのインデックスプリントかを判断する。記録メディア内であればＳ３０３に移行し、動画ファイルを検索する。動画ファイルが存在していなければＳ３５０で処理終了。動画ファイルが見つかれば、その動画ファイルに関して、動画像の先頭画像、所定時間後の画像、最終画像、または、音声、画像、記録情報などの変化点画像などの方法で静止画像を選択する。また、プリントリストのフォーマットなども設定する。そして、Ｓ３０５にて、ユーザに決定するかを確認し（Ｓ３０５は省略の可）、キャンセルならばＳ３５０で処理を終了する。決定ならば、Ｓ３０６にて、静止画像の切り出し、必要ならば画像フォーマット変換などの処理を行う。そして、Ｓ３０７にて、静止画ディレクトリ以下に上記静止画像の静止画ファイルを作成する。そして、Ｓ３０８にてマルチインデックス形態のプリントリストに登録し、Ｓ３０９にて、動画ファイル検索終了か判断する。検索終了ならばＳ３３０にて、上記手順、作成ファイルなどの情報をもって、管理ファイルを更新する。そして、Ｓ３４０にて、プリントリストをプリントリストファイルとして作成し、記録媒体に書き込む。Ｓ３０９にて、動画ファイル検索終了でない場合、Ｓ３０３に戻り、上記動作を繰り返す。また、Ｓ３０２にて、動画ファイル内の処理であれば、Ｓ３１３に移行し、動画ファイル終了位置かを判断する。終了位置であればＳ３５０で処理を終了する。終了位置でなければ、Ｓ３１４にて、その動画ファイルに関して、ユーザ設定あるいはデフォルトの所定間隔、ユーザの随時設定した指定間隔、画像または音声の変化点から自動検出した指定画像などの方法で静止画像を選択する。また、プリントリストのフォーマットなども設定する。そして、Ｓ３１５にて、ユーザに決定するかを確認し（Ｓ３１５は省略の可）、キャンセルならばＳ３５０で処理を終了する。決定ならば、Ｓ３１６にて、静止画像の切り出し、必要ならば画像フォーマット変換などの処理を行う。そして、Ｓ３１７にて、静止画ディレクトリ以下に上記静止画像の静止画ファイルを作成する。そして、Ｓ３１８にてマルチインデックス形態のプリントリストに登録し、Ｓ３１９にて、動画ファイル終端か判断する。終端であればＳ３３０にて、上記手順、作成ファイルなどの情報をもって、管理ファイルを更新する。そして、Ｓ３４０にて、プリントリストをプリントリストファイルとして作成し、記録媒体に書き込む。Ｓ３１９にて、終端でない場合、Ｓ３１４に戻り、上記動作を繰り返す。
【００７７】
以上の動作を行うことによって、動画ディレクトリ、動画コンテンツを含んだ記録媒体においても、従来の“ＤＣＩＭ”と“ＤＰＯＦ”ディレクトリは、従来のディレクトリと互換が維持されているため、現行のデジタルカメラ、印刷装置などの周辺機器において、良好な互換を維持できる効果がある。さらに、記録媒体に存在する動画ファイル一覧、あるいは、動画ファイル毎の代表画像が、マルチインデックス形態のプリントファイルとして作成できるという、非常に有益な機能を提供できる。
【図面の簡単な説明】
【００７８】
【図１】本発明に係る第１の実施形態のブロック図である。
【図２】本発明に係る第１の実施形態のディレクトリ構成例を示す図である。
【図３】本発明に係る第１の実施形態の動作例（ａ）と表示例（ｂ）を説明する図である。
【図４】本発明に係る第１の実施形態の管理データ例を説明する図である。
【図５】本発明に係る第１の実施形態の管理データ例を説明する図である。
【図６】本発明に係る第１の実施形態の管理データ例を説明する図である。
【図７】本発明に係る第１の実施形態のタスク（ａ）とインデックス表示のタスク（ｂ）を説明するフローチャートである。
【図８】本発明に係る第１の実施形態の記録媒体に記録されるファイルのディレクトリ構成例とファイル作成手順を説明する図である。
【図９】本発明に係る第１の実施形態の記録媒体に記録されるファイルのディレクトリ構成例とファイル作成手順を説明する図である。
【図１０】本発明の第２の実施形態のディレクトリ構成例を示す図である。
【図１１】動画ファイルの静止画切り出しを説明する図である。
【図１２】マルチインデックス形態のプリントファイルを印刷装置で印刷したイメージ図である。
【図１３】本発明に係る第２の実施形態のタスクを説明するフローチャートである。
【図１４】従来のディレクトリ構成例を示す図である。
【符号の説明】
【００７９】
２００  撮像装置全体
２０１  レンズ
２０２  固体センサ
２０３  Ａ／Ｄコンバータ
２０４  モータ
２０９  マイク
２１０  マイクアンプ
２１１  Ａ／Ｄコンバータ
２１２  操作キー
２１３  表示ドライバ
２１４  表示器
２１５  スピーカドライバ
２１６  スピーカ
２１７  外部入出力端子
２２１  電源
２２２  メモリ
２２３  記録再生制御回路
２２４  センサ
２２５  ソケット
２３０  ＣＰＵ
２３５  無線タグ送受信部
１０１  第１の記憶媒体
【図１】
2006080652.tif 000003
【図２】
2006080652.tif 000004
【図３】
2006080652.tif 000005
【図４】
2006080652.tif 000006
【図５】
2006080652.tif 000007
【図６】
2006080652.tif 000008
【図７】
2006080652.tif 000009
【図８】
2006080652.tif 000010
【図９】
2006080652.tif 000011
【図１０】
2006080652.tif 000012
【図１１】
2006080652.tif 000013
【図１２】
2006080652.tif 000014
【図１３】
2006080652.tif 000015
【図１４】
2006080652.tif 000016